(57)【要約】  【課題】  受信装置がパワーダウンモードになることにより認証コードの送出を停止する送信装置を使用する場合でも、そのパワーダウンモードが解除された後に所定の指令により送信装置が認証コードの送出を再開するようにする。  【解決手段】  送信装置１０がホットプラグライン３により受信装置２０に接続されたことに基づき、送信装置１０がＩ２Ｃバス２を経由して暗号化された認証コードを受信装置２０に対して送り、受信装置２０が該認証コードを判定してその判定結果を送信装置１０にＩ２Ｃバス２を経由して返却することにより、送信装置１０と受信装置２０との間で認証動作が行なわれる。受信装置２０に外部から指令を受けることによりホットプラグライン３の接続を擬似的に外し再度接続させる認証再開手段を備える。【選択図】  図１
2006163585.tif 000002
【特許請求の範囲】
【請求項１】
送信装置がホットプラグラインを介して受信装置に接続されたことに基づき通信バスを経由して暗号化された認証コードを前記送信装置から前記受信装置に送り、前記受信装置が該認証コードを判定してその判定結果を前記送信装置に前記通信バスを経由して返却することにより、前記送信装置と前記受信装置との間で認証動作が行なわれ、その後に前記送信装置からデータラインを経由して送信されるコンテンツを前記受信装置で受信して再生する再生方法において、
前記受信装置が外部から指令を受けることにより前記ホットプラグラインの接続を擬似的に外し再度接続するようにしたことを特徴とする再生方法。
【請求項２】
送信装置がホットプラグラインを介して受信装置に接続されたことに基づき通信バスを経由して暗号化された認証コードを前記送信装置から前記受信装置に送り、前記受信装置が該認証コードを判定してその判定結果を前記送信装置に前記通信バスを経由して返却することにより、前記送信装置と前記受信装置との間で認証動作が行なわれ、その後に前記送信装置からデータラインを経由して送信されるコンテンツを前記受信装置で受信して再生する再生方法において、
前記送信装置に前記データラインの電位が一時的に接地ラインに低下することにより前記認証コードを送出を開始する装置を使用し、
前記受信装置が外部から指令を受けることにより前記データラインの電位を一時的に接地ラインに低下させることを特徴とする再生方法。
【請求項３】
送信装置と受信装置とを具備し、該送信装置はデータライン、通信バスおよびホットプラグラインを経由して前記送信装置に接続され、前記送信装置が前記ホットプラグラインにより前記受信装置に接続されたことに基づき、前記送信装置が前記通信バスを経由して暗号化された認証コードを前記受信装置に対して送り、前記受信装置が該認証コードを判定してその判定結果を前記送信装置に前記通信バスを経由して返却することにより、前記送信装置と前記受信装置との間で認証動作が行なわれ、その後に前記送信装置から前記データラインを経由して送信されるコンテンツを前記受信装置で受信して再生する再生装置において、
前記受信装置に、外部から指令を受けることにより前記ホットプラグラインの接続を擬似的に外し再度接続させる認証再開手段を備えたことを特徴とする再生装置。
【請求項４】
送信装置と受信装置とを具備し、該送信装置はデータライン、通信バスおよびホットプラグラインを経由して前記送信装置に接続され、前記送信装置が前記ホットプラグラインにより前記受信装置に接続されたことに基づき、前記送信装置が前記通信バスを経由して暗号化された認証コードを前記受信装置に対して送り、前記受信装置が該認証コードを判定してその判定結果を前記送信装置に前記通信バスを経由して返却することにより、前記送信装置と前記受信装置との間で認証動作が行なわれ、その後に前記送信装置から前記データラインを経由して送信されるコンテンツを前記受信装置で受信して再生する再生装置において、
前記送信装置は前記データラインの電位が一時的に接地ラインに低下することにより前記認証コードの送出を開始する機能を具備し、
前記受信装置に、外部から指令を受けることにより前記データラインの電位を一時的に接地ラインに低下させる認証再開手段を備えたことを特徴とする再生装置。
【請求項５】
請求項３又は４に記載の再生装置において、
前記受信装置に前記認証再開手段が組み込まれた制御部を具備し、該制御部に外部から前記指令を与えるリモコン送信器を具備するようにしたことを特徴とする再生装置。
【発明の詳細な説明】
【技術分野】
【０００１】
本発明は、音声データ及び／又は映像データを受信して再生する再生方法および装置に関するものである。
【背景技術】
【０００２】
次世代向きのＡＶ（音声及び映像）のデジタルインターフェースとして、様々な規格が提案されているが、コンテンツがデジタルの場合は複製防止が重要となる。また、これらのインターフェース規格においては、規格設立当時の混迷期に製品化された一部の商品には、認証方法が適切でないものがある。
【０００３】
図２はＤＶＤ等のデジタルコンテンツのデータを送信装置１０から受信装置２０に送信してＰＤＰ、ＬＣＤ等の画像表示装置３０で表示するＨＤＣＰ（High-bandwidth Digital Contnts Protection）方式準拠の従来の再生装置の構成を示すブロック図である。ただし、ここでは画像表示に係わる部分のみを示した。
【０００４】
送信装置１０と受信装置２０との間は、ＤＶＩ（Digital Visual Interface)規格に準拠したデジタルシリアルデータライン１、Ｉ２Ｃバス２、ホットプラグライン３が接続されている。また、受信装置２０は暗号処理部２１、画像処理部２２、入出力インターフェース（Ｉ／Ｏ）２３、電源２４、全体を制御するＭＰＵ等からなる制御部２５、その他の図示しない要素を具備する。暗号処理部２１はＥＤＩＤ（Extended Display Identification Data)と呼ばれる画像表示装置３０の種類、表示できる解像度、クロック周波数、メーカー名、シリアル番号等の情報を記憶するＥＥＰＲＯＭ（図示せず）を有している。
【０００５】
送信装置１０と受信装置２０の間に、シリアルデータライン１、Ｉ２Ｃバス２、ホットプラグライン３が接続されると、ホットプラグライン３の接続により送信装置１０には受信装置２０が接続されたことが認識される。この認識に基づき、まず、送信装置１０が暗号化された認証コードを受信装置２０に送信して、その認証コードが受信装置２０の暗号処理部２１で解読されて認証ＯＫとなれば、それが送信装置１０に通知される。以上の認証コードの伝送や判定結果の伝送はＩ２Ｃバス２を経由して行われる。以上の認証動作により送信装置１０のコンテンツが不正コピーされたものか否か等がチェックされる。
【０００６】
認証がＯＫとなった後、受信装置２０の暗号処理部２１から送られた暗号鍵（公開鍵）により送信装置１０のコンテンツが暗号化されてシリアルデータライン１を経由して受信装置２０に送信され、受信装置２０の暗号処理部２１ではこれを対応する暗号鍵（秘密鍵）により復号する。そして、復号された映像が画像処理部２２で処理された後に画像表示装置３０で表示される。
【０００７】
上記の暗号化された認証コードは、送信装置１０が受信装置２０に接続されている限り、所定周期（例えば、映像信号の２フレームに１回）で送信装置１０から受信装置２０に送信され、認証の確認が定期的に行われる。認証や暗号化に関するものとして特許文献１に、ホットプラグに関するものとして特許文献２に記載がある。
【０００８】
ところで、受信装置２０は、ＤＶＩ以外に他の映像入力モードを備えた場合、当該他の入力モードに選択したときは、省電力のために、ＤＶＩの動作をパワーダウンモードに設定し、暗号処理部２１の動作を停止するので、デジタルシリアルデータライン１およびＩ２Ｃバス２がハイインピーダンスに固定され、受信装置２０から送信装置１０への信号が伝送されなくなり、当然に認証動作も行われなくなる。なお、このとき、ホットプラグライン３はそれが接続されていることを示すＨレベルの状態から変化しない。
【０００９】
送信装置１０は、本来的には、ホットプラグライン３が接続されている限り暗証コードを出力し続ける。このため、受信装置２０においてパワーダウンモードが解除され通常の動作モードに戻ったときは、暗号処理部２１は通常の動作状態に復帰し、デジタルシリアルデータライン１およびＩ２Ｃバス２が通常の状態に復帰すると、その認証コードが暗号処理部２１に取り込まれて認証が再開され、以後の動作も再開される。
【特許文献１】２００２年  国際公開  第０３７２８５号公報
【特許文献２】特開２００３−０６０７３３号公報
【発明の開示】
【発明が解決しようとする課題】
【００１０】
ところが、数ある送信装置１０のなかには、ホットプラグライン３が接続されていても、受信装置２０から認証結果が到来しなくなると、その認証コードの送信を停止するものがある。このような送信装置１０を使用するときは、受信装置２０においてパワーダウンモードが解除され通常の動作モードに戻り、暗号処理部２１が通常の動作状態に復帰し、デジタルシリアルデータライン１およびＩ２Ｃバス２が通常の状態に復帰しても、送信装置１０からの認証コードの送出が停止している状態が変化することはなく、よって認証が行われることはなく、送信装置１０から画像信号を受信装置２０に送り、画像表示装置３０で表示することができなくなるという問題があった。
【００１１】
本発明の目的は、上記のように受信装置がパワーダウンモードになることにより認証コードの送出を停止する送信装置を使用する場合でも、そのパワーダウンモードが解除された後に所定の指令により送信装置が認証コードを送出するようにした再生方法および装置を提供することである。
【課題を解決するための手段】
【００１２】
請求項１にかかる発明は、送信装置がホットプラグラインを介して受信装置に接続されたことに基づき通信バスを経由して暗号化された認証コードを前記送信装置から前記受信装置に送り、前記受信装置が該認証コードを判定してその判定結果を前記送信装置に前記通信バスを経由して返却することにより、前記送信装置と前記受信装置との間で認証動作が行なわれ、その後に前記送信装置からデータラインを経由して送信されるコンテンツを前記受信装置で受信して再生する再生方法において、前記受信装置が外部から指令を受けることにより前記ホットプラグラインの接続を擬似的に外し再度接続するようにしたことを特徴とする。
【００１３】
請求項２にかかる発明は、送信装置がホットプラグラインを介して受信装置に接続されたことに基づき通信バスを経由して暗号化された認証コードを前記送信装置から前記受信装置に送り、前記受信装置が該認証コードを判定してその判定結果を前記送信装置に前記通信バスを経由して返却することにより、前記送信装置と前記受信装置との間で認証動作が行なわれ、その後に前記送信装置からデータラインを経由して送信されるコンテンツを前記受信装置で受信して再生する再生方法において、前記送信装置に前記データラインの電位が一時的に接地ラインに低下することにより前記認証コードを送出を開始する装置を使用し、前記受信装置が外部から指令を受けることにより前記データラインの電位を一時的に接地ラインに低下させることを特徴とする。
【００１４】
請求項３にかかる発明は、送信装置と受信装置とを具備し、該送信装置はデータライン、通信バスおよびホットプラグラインを経由して前記送信装置に接続され、前記送信装置が前記ホットプラグラインにより前記受信装置に接続されたことに基づき、前記送信装置が前記通信バスを経由して暗号化された認証コードを前記受信装置に対して送り、前記受信装置が該認証コードを判定してその判定結果を前記送信装置に前記通信バスを経由して返却することにより、前記送信装置と前記受信装置との間で認証動作が行なわれ、その後に前記送信装置から前記データラインを経由して送信されるコンテンツを前記受信装置で受信して再生する再生装置において、前記受信装置に、外部から指令を受けることにより前記ホットプラグラインの接続を擬似的に外し再度接続させる認証再開手段を備えたことを特徴とする。
【００１５】
請求項４にかかる発明は、送信装置と受信装置とを具備し、該送信装置はデータライン、通信バスおよびホットプラグラインを経由して前記送信装置に接続され、前記送信装置が前記ホットプラグラインにより前記受信装置に接続されたことに基づき、前記送信装置が前記通信バスを経由して暗号化された認証コードを前記受信装置に対して送り、前記受信装置が該認証コードを判定してその判定結果を前記送信装置に前記通信バスを経由して返却することにより、前記送信装置と前記受信装置との間で認証動作が行なわれ、その後に前記送信装置から前記データラインを経由して送信されるコンテンツを前記受信装置で受信して再生する再生装置において、前記送信装置は前記データラインの電位が一時的に接地ラインに低下することにより前記認証コードの送出を開始する機能を具備し、前記受信装置に、外部から指令を受けることにより前記データラインの電位を一時的に接地ラインに低下させる認証再開手段を備えたことを特徴とする。
【００１６】
請求項５にかかる発明は、請求項３又は４に記載の再生装置において、前記受信装置に前記認証再開手段が組み込まれた制御部を具備し、該制御部に外部から前記指令を与えるリモコン送信器を具備するようにしたことを特徴とする。
【発明の効果】
【００１７】
本発明によれば、受信装置が、外部から指令を受けることによりホットプラグラインの接続を擬似的に外し再度接続させ、あるいはデジタルシリアルデータラインの電位を一時的に接地ラインに低下させるので、受信装置がパワーダウンモードになることにより認証コードの送出を停止する送信装置を使用する場合でも、外部から指令を与えることにより認証を再開させることができ、送信装置から送信されるコンテンツの再生が可能になる。
【発明を実施するための最良の形態】
【００１８】
図１はＤＶＤ等のデジタルコンテンツのデータを送信装置１０から受信装置２０に送信してＰＤＰ、ＬＣＤ等の画像表示装置３０で表示するＨＤＣＰ方式準拠の本実施例の再生装置の構成を示すブロック図である。ただし、ここでは画像表示に係わる部分のみを示した。
【００１９】
送信装置１０と受信装置２０との間は、ＤＶＩ規格に準拠したデジタルシリアルデータライン１、Ｉ２Ｃバス２、ホットプラグライン３が接続されている。また、受信装置２０は暗号処理部２１、画像処理部２２、入出力インターフェース（Ｉ／Ｏ）２３、電源２４、全体を制御するＭＰＵ等の制御部２５、光リモコン送信器（リモートコントロール装置）４０からの制御光を受光して制御部２５に対する制御信号を生成する受光部２６、その他の図示しない要素を具備する。
【００２０】
暗号処理部２１はＥＤＩＤと呼ばれる画像表示装置３０の種類、表示できる解像度、クロック周波数、メーカー名、シリアル番号等の情報を記憶するＥＥＰＲＯＭ（図示せず）を有している。光リモコン送信器４０は、認証再開ボタンを具備し、受光部２６がこの認証再開ボタンの操作光信号を受光すると、制御部２５に対して再認再開制御を行わせる信号を送出するようにした。
【００２１】
送信装置１０と受信装置２０の間に、シリアルデータライン１、Ｉ２Ｃバス２、ホットプラグライン３が接続されると、ホットプラグライン３の接続により送信装置１０には受信装置２０が接続されたことが認識される。この認識に基づき、まず、送信装置１０が暗号化された認証コードを受信装置２０に送信して、その認証コードが受信装置２０の暗号処理部２１で解読されて認証ＯＫとなれば、それが送信装置１０に通知される。以上の認証コードの伝送や判定結果の伝送はＩ２Ｃバス２を経由して行われる。以上の認証動作により送信装置１０のコンテンツが不正コピーされたものか否か等がチェックされる。
【００２２】
認証がＯＫとなった後、受信装置２０の暗号処理部２１から送られた暗号鍵（公開鍵）により送信装置１０のコンテンツが暗号化されてシリアルデータライン１を経由して受信装置２０に送信され、受信装置２０の暗号処理部２１ではこれを対応する暗号鍵（秘密鍵）により復号する。そして復号された映像が画像処理部２２で処理された後に画像表示装置３０で表示される。
【００２３】
上記の暗号化された認証コードは、送信装置１０が受信装置２０に接続されている限り、所定周期（例えば、映像信号の２フレームに１回）で送信装置１０から受信装置２０に送信され、認証の確認が定期的に行われる。
【００２４】
ここで、受信装置２０において、その動作がパワーダウンモード（省電力モード）に設定されたときは、暗号処理部２１が動作を停止するので、デジタルシリアルデータライン１およびＩ２Ｃバス２がハイインピーダンスに固定され、受信装置２０から送信装置１０へは信号が出力されなくなり、当然に認証結果も出力されなくなる。なお、このとき、ホットプラグライン３はそれが接続されていることを示すＨレベルの状態から変化しない。
【００２５】
送信装置１０は、本来的には、ホットプラグライン３が接続されている限り暗証コードを送信し続ける。このため、受信装置２０においてパワーダウンモードが解除され通常の動作モードに戻ったときは、暗号処理部２１は通常の動作状態に復帰し、デジタルシリアルデータライン１およびＩ２Ｃバス２が通常の状態に復帰すると、送信装置１０から送られた認証コードが暗号処理部２１に取り込まれて認証ＯＫとなり、以後の動作が開始される。
【００２６】
しかし、前記したように、送信装置１０のなかには、ホットプラグライン３が接続されていても、受信装置２０から認証結果が到来しなくなると、その認証コードの送信を停止し、受信装置２０においてパワーダウンモードが解除され、デジタルシリアルデータライン１およびＩ２Ｃバス２が通常の状態に復帰しても、再認証が行われないものがある。
【００２７】
そこで、このような場合において、本実施例では、ホットプラグライン１を制御する認証再開手段（プログラム）を制御部２５に組み込む。すなわち、光リモコン送信器４０の認証再開ボタンを操作し、認証再開の光指令を発射させると、受光部２６はこの光指令を受光し制御部２５に対して認証再開制御信号を送る。制御部２５は、この信号を受信すると認証再開手段（プログラム）によってホットプラグライン３をＨレベルから一旦Ｌレベルに変化させ、再度Ｈレベルに復帰させる制御（ホットプラグライン３の接続を擬似的に外し再度接続させる制御）を行う。この結果、送信装置１０はホットプラグライン３が一旦接続を外されてから再度接続されたと判断するので、受信装置２０への暗号化された認証コードの送出を再開する。よって、以後は送信装置１０側のコンテンツが前記したように暗号化されて受信装置２０に送られ、ここで復号され画像処理部２２で処理されて画像表示装置３０で再生される。
【００２８】
なお、送信装置１０として、デジタルシリアルデータライン１が一旦接地レベルに低下して復帰すると認証コードの送出を再開するような装置を利用する場合には、上記した認証再開手段に代えて、暗号処理部２１の電源を制御する別の認証再開手段（プログラム）を制御部２５に組み込めばよい。この場合は、制御部２５が受光部２６から認証再開制御信号を受信すると、認証再開手段（プログラム）が電源２４を制御して暗号処理部２１の電源を一旦遮断して再度供給するように制御する。このように暗号処理部２１に対して一時的に電源遮断を行うと、デジタルシリアルデータライン１が一旦接地レベルに低下してから所定のバイアスレベルに復帰するので一時的に電流が流れ、これが送信装置１０で検知されて、その送信装置１０から認証コードの送出が再開される。また、以上では映像を表示する再生装置に限って説明したが、音声を再生する再生装置でも全く同様に適用できる。
【図面の簡単な説明】
【００２９】
【図１】本実施例の再生装置の構成を示すブロック図である。
【図２】従来の再生装置の構成を示すブロック図である。
【符号の説明】
【００３０】
１０：送信装置
２０：受信装置、２１：暗号処理部、２２：画像処理部、２３：入出力インターフェース、２４：電源、２５：制御部、２６：受光部
３０：画像表示装置
４０：光リモコン送信器
【図１】
2006163585.tif 000003
【図２】
2006163585.tif 000004